(57)【要約】【課題】簡単な構成で均一な定量計量ができ、製造コストの低減にも寄与する液計量具を提供する。【解決手段】シリンジ１は、指掛け部６を備えたシリンジ筒３と、プランジャ４とを有している。プランジャ４には突出片５ｂを有するアダプタ５が一体に設けられている。まず、プランジャ４を引いて目標量Ｘを超える大まかな量の検水８を吸引する（ａ）。その後、突出片５ｂが指掛け部６に対向するように、シリンジ筒３とプランジャ４とを軸心回り方向に相対的に回転させ（ｂ）、プランジャ４を指掛け部６に突出片５ｂが当接するまで押す（ｃ）。突出片５ｂの高さｈはシリンジ筒３内に目標量Ｘの検水が残る長さに設定されている。突出片５ｂが指掛け部６に当接した時点でシリンジ筒３内に目標量（所定量）の検水が保持される。オペレータはシリンジ筒３の目盛を目視せずに且つ気にすることなく突出片５ｂと指掛け部６との当接状態を得るだけでよい。【選択図】図３
2018038933.tif 000002
【特許請求の範囲】
【請求項１】
先端側に吸入口を有する筒状の液収容部材と、
前記液収容部材内を軸方向に摺動可能に設けられた摺動部材と、
前記液収容部材と前記摺動部材のうちのいずれか一方に設けられ、前記軸方向に延びる突出部材と、
前記液収容部材と前記摺動部材のうちの他方に設けられた受け部材と、
を備え、
前記突出部材と前記受け部材は、前記液収容部材と前記摺動部材のうちの少なくとも一方の軸心回り方向における所定の回転位置で対向して前記摺動部材の移動で当接し、該当接によって前記液収容部材の先端側に所定量の液収容空間が形成されることを特徴とする液計量具。
【請求項２】
前記突出部材が、前記液収容部材と前記摺動部材のうちのいずれか一方に装着される装着部と、該装着部に一体に設けられ前記軸方向に突出する突出片とを有することを特徴とする請求項１に記載の液計量具。
【請求項３】
前記突出片が、前記受け部材に当接する位置が前記軸方向で異なる段差形状を有し、前記受け部材は、前記突出片のうち突出量が大きい部分が当接する第１の当接部と、前記突出量が大きい部分は通過させ該突出量が大きい部分よりも突出量が小さい部分が当接する第２の当接部とを有し、前記所定量を任意に変えることができることを特徴とする請求項２に記載の液計量具。
【請求項４】
前記突出部材が前記軸方向の突出量が異なる複数の突出片を有し、前記受け部材に対向する前記突出片を異ならせることにより、前記所定量を任意に変えることができることを特徴とする請求項２に記載の液計量具。
【請求項５】
前記液収容部材がシリンジ筒であり、前記摺動部材がプランジャであり、前記受け部材又は前記突出部材が前記シリンジ筒に設けられた指掛け部であることを特徴とする請求項１〜４のいずれか１つに記載の液計量具。
【請求項６】
先端側に吸入口を有する筒状の液収容部材と、前記液収容部材内を軸方向に摺動可能に設けられた摺動部材とを有する液計量具を用いた液計量方法であって、
前記摺動部材を前記液収容部材の後端側へ移動させて前記液収容部材内に所定量を超える液を吸引した後、前記液収容部材と前記摺動部材のうち少なくとも一方を軸心回りに回転させて前記液収容部材と前記摺動部材とに相対的に設けられた、前記軸方向に延びる突出部材と受け部材とを対向させた後、前記摺動部材を移動させて前記突出部材と前記受け部材とを当接させることにより、余分に吸引した液を排出して前記液収容部材内に前記当接によって規定される前記所定量の液を残すことを特徴とする液計量方法。
【請求項７】
先端側に吸入口を有する筒状の液収容部材と、前記液収容部材内を軸方向に摺動可能に設けられた摺動部材とを有する液計量具を用いた希釈方法であって、
前記摺動部材を前記液収容部材の後端側へ移動させて前記液収容部材内に所定量を超える液を吸引した後、前記液収容部材と前記摺動部材のうち少なくとも一方を軸心回りに回転させて前記液収容部材と前記摺動部材とに相対的に設けられた、前記軸方向に延びる突出部材と受け部材とを対向させた後、前記摺動部材を移動させて前記突出部材と前記受け部材とを当接させることにより、余分に吸引した液を排出して前記液収容部材内に前記当接によって規定される前記所定量の液を残し、該所定量の液を残した状態で、前記摺動部材を前記液収容部材の後端側へ移動させて前記液収容部材内に希釈液を吸引し、前記液収容部材内に残っている前記所定量の液を所定の倍率に希釈することを特徴とする希釈方法。
【発明の詳細な説明】
【技術分野】
【０００１】
本発明は、液計量具、液計量方法及び希釈方法に関する。
【背景技術】
【０００２】
分析器には全て測定可能な濃度範囲があり、その濃度範囲を下回っても、超えても分析することができない。分析対象の液（検液）の濃度が高い場合には希釈して測定可能な濃度範囲に入れることで分析可能となる。
精密分析の領域では上記の希釈作業は非常に神経を使うため面倒な作業となるが、簡易分析の領域ではそこまでの精度は要求されず、その場で迅速に概略値を求める場合が多いのが実状である。
【０００３】
概略値を求める場合、従来より、例えばメスシリンダを用いて目盛を見ながら計量し、計量した検液を別途用意された希釈液に入れて希釈することが行われている。この種の液計量具として高価なマイクロピペット（プッシュボタン式液体用微量体積計）を用いる場合もあるが、計量後の作業工程は上記と変わらない。
目盛を見ながらの計量では、人の感覚が介在するため目視誤差による計量毎の不均一性を避けられない。
【０００４】
人の感覚による誤差を極力抑制すべく、ストッパ機構によってシリンジ本体に対するプランジャの吸引位置と、注入位置とを機械的に固定する構成が提案されている（例えば、特許文献１）。
具体的に説明すると、シリンジ本体の軸方向に延びるガイドバーを設け、シリンジ本体に一体化されたガイドホルダにガイドバーをスライド可能に挿通し、ガイドバーにストッパをねじ固定する構成である。
ストッパがガイドホルダに当接することにより、吸引位置又は注入位置が規定される。ストッパの位置を変えることにより、吸引位置と注入位置とを任意に設定することができる。
【０００５】
目視ではなくストッパによる機械的な当接をもって定量を計測できるので、人の感覚による誤差（曖昧さ）を排除することができる。
【先行技術文献】
【特許文献】
【０００６】
【特許文献１】特開平１０−１０４１２９号公報
【発明の概要】
【発明が解決しようとする課題】
【０００７】
しかしながら、特許文献１に記載の従来技術では、ガイドバーを用いたスライド機構とストッパをガイドバーにねじ固定する構成が必要であり、構成が複雑で製造コストの増加を避けられなかった。
【０００８】
本発明はこのような現状に鑑みて創案されたもので、簡単な構成で均一な定量計量ができ、製造コストの低減にも寄与する液計量具の提供をその目的とする。
また、本発明は、簡単な構成で均一な定量計量ができる液軽量方法及び計量された液の希釈方法の提供を目的とする。
【課題を解決するための手段】
【０００９】
上記目的を達成するために、本発明は、例えばシリンジにおけるシリンジ本体とプランジャとの関係のように、本来的に存在する相対的な軸心回りの回転構成を利用して定量を規定するストッパ構成を構築することとした。
【００１０】
具体的には、本発明に係る液計量具は、先端側に吸入口を有する筒状の液収容部材と、前記液収容部材内を軸方向に摺動可能に設けられた摺動部材と、前記液収容部材と前記摺動部材のうちのいずれか一方に設けられ、前記軸方向に延びる突出部材と、前記液収容部材と前記摺動部材のうちの他方に設けられた受け部材と、を備え、前記突出部材と前記受け部材は、前記液収容部材と前記摺動部材のうちの少なくとも一方の軸心回り方向における所定の回転位置で対向して前記摺動部材の移動で当接し、該当接によって前記液収容部材の先端側に所定量の液収容空間が形成されることを特徴とする。
突出部材と受け部材とが対向しない（干渉しない）位置で摺動部材を液収容部材の先端まで移動させた状態で液を所定量（目標量）を超えて大雑把に吸引し、その後液収容部材と摺動部材のうちの少なくとも一方を軸心回り方向に回転させて所定の回転位置に設定して突出部材と受け部材とを対向させ、突出部材と受け部材とが当接する位置まで摺動部材を移動させることにより、余分量が排出されて液収容部材内には所定量の液が残る。
本来的に存在する液収容部材と摺動部材との間の軸心回り方向における回転構成をストッパ構成の要素として利用しているので、ストッパ構成を簡易化できる。
【００１１】
前記突出部材が、前記液収容部材と前記摺動部材のうちのいずれか一方に装着される装着部と、該装着部に一体に設けられ前記軸方向に突出する突出片とを有する構成としてもよい。
例えば、装着部を液収容部材又は摺動部材に圧入する構成とすれば、ワンタッチ的な操作で突出部材を形成できる。
【００１２】
前記突出片が、前記受け部材に当接する位置が前記軸方向で異なる段差形状を有し、前記受け部材は、前記突出片のうち突出量が大きい部分が当接する第１の当接部と、前記突出量が大きい部分は通過させ該突出量が大きい部分よりも突出量が小さい部分が当接する第２の当接部とを有し、前記所定量を任意に変えることができる構成としてもよい。
一つの液計量具で異なる目標量を定量計量することができ、利便性の向上を図ることができる。
【００１３】
前記突出部材が前記軸方向の突出量が異なる複数の突出片を有し、前記受け部材に対向する前記突出片を異ならせることにより、前記所定量を任意に変えることができるようにしてもよい。
一つの液計量具で異なる目標量を定量計量することができ、利便性の向上を図ることができる。
【００１４】
前記液収容部材がシリンジ筒であり、前記摺動部材がプランジャであり、前記受け部材又は前記突出部材が前記シリンジ筒に設けられた指掛け部である構成としてもよい。
受け部材又は突出部材として、シリンジ筒に本来的に設けられている指掛け部を利用することにより、定量計量のためのストッパ構成を一層簡易化できる。
【００１５】
また、本発明は、先端側に吸入口を有する筒状の液収容部材と、前記液収容部材内を軸方向に摺動可能に設けられた摺動部材とを有する液計量具を用いた液計量方法であって、前記摺動部材を前記液収容部材の後端側へ移動させて前記液収容部材内に所定量を超える液を吸引した後、前記液収容部材と前記摺動部材のうち少なくとも一方を軸心回りに回転させて前記液収容部材と前記摺動部材とに相対的に設けられた、前記軸方向に延びる突出部材と受け部材とを対向させた後、前記摺動部材を移動させて前記突出部材と前記受け部材とを当接させることにより、余分に吸引した液を排出して前記液収容部材内に前記当接によって規定される前記所定量の液を残すことを特徴とする。
本来的に存在する液収容部材と摺動部材との間の相対的な軸心回り方向の回転可能構成をストッパ構成の要素として利用しているので、ストッパ構成を簡易化できる。
【００１６】
また、本発明は、先端側に吸入口を有する筒状の液収容部材と、前記液収容部材内を軸方向に摺動可能に設けられた摺動部材とを有する液計量具を用いた希釈方法であって、前記摺動部材を前記液収容部材の後端側へ移動させて前記液収容部材内に所定量を超える液を吸引した後、前記液収容部材と前記摺動部材のうち少なくとも一方を軸心回りに回転させて前記液収容部材と前記摺動部材とに相対的に設けられた、前記軸方向に延びる突出部材と受け部材とを対向させた後、前記摺動部材を移動させて前記突出部材と前記受け部材とを当接させることにより、余分に吸引した液を排出して前記液収容部材内に前記当接によって規定される前記所定量の液を残し、該所定量の液を残した状態で、前記摺動部材を前記液収容部材の後端側へ移動させて前記液収容部材内に希釈液を吸引し、前記液収容部材内に残っている前記所定量の液を所定の倍率に希釈することを特徴とする。
一つの液収容部材内で液の定量計量と希釈とが同時に行えるので、例えば分析作業の作業能率を向上させることができる。希釈のために他の器具を用いないので、希釈工程後の洗浄作業も極めて容易となる。
【発明の効果】
【００１７】
本発明によれば、簡単な構成で均一な定量計量ができ、製造コストの低減にも寄与する液計量具を提供できる。
また、本発明によれば、簡単な構成で均一な定量計量を容易に行うことができる。
また、本発明によれば、簡単な構成で定量計量と希釈とが同時的にでき、作業能率を向上させることができるとともに、希釈工程後の洗浄作業も極めて容易となる。
【図面の簡単な説明】
【００１８】
【図１】本発明の第１の実施形態に係る液計量具の側面図である。
【図２】図１で示した液計量具の分解斜視図である。
【図３】図１で示した液計量具による計量方法を示す図で、（ａ）は目標量を超えて吸引した状態を示す側面図、（ｂ）は吸引後アダプタの突出片と指掛け部とを対向させた状態を示す側面図、（ｃ）はプランジャを押して突出片と指掛け部とを当接させて目標量の検水をシリンジ筒内に保持した状態を示す側面図である。
【図４】希釈方法を示す図で、（ａ）は図３（ｃ）の状態からプランジャを上限まで移動させて希釈液としての蒸留水を吸い込み、所定の希釈倍率とした状態を示す側面図、（ｂ）は希釈した検水を容器に排出した状態を示す側面図である。
【図５】第２の実施形態に係る突出部材の構成を示す要部分解斜視図である。
【図６】第３の実施形態に係る突出部材の構成を示す要部斜視図である。
【図７】第４の実施形態に係る液計量具の一部省略の斜視図である。
【図８】第４の実施形態に係る液計量具による計量方法を示す図で、（ａ）は突出片の軸方向の突出量が大きい部分を当接させた状態の要部側面図、（ｂ）は軸方向の突出量が小さい部分を当接させた状態の要部側面図である。
【図９】第５の実施形態に係る液計量具の一部省略の斜視図である。
【発明を実施するための形態】
【００１９】
以下、本発明の実施形態について図を参照して説明する。
まず、図１乃至図４に基づいて第１の実施形態を説明する。
図１は、本実施形態に係る液計量具としてのシリンジの側面図である。シリンジ１は、先端側に吸入口２を有する筒状の液収容部材としてのシリンジ筒３と、シリンジ筒３内を軸方向に摺動可能に設けられた摺動部材としてのプランジャ４と、プランジャ４の後端側（図面上の上端側）に固定された突出部材としてのアダプタ５と、シリンジ筒３が本来的に備えている受け部材としての指掛け部６とを有している。
本実施形態ではシリンジ１は市販のものを利用している。
【００２０】
図２に示すように、プランジャ４は、外接円がシリンジ筒３の内面との間に隙間を有するプランジャロッド４ａと、プランジャロッド４ａの先端部（図面上の下端部）に固定され、シリンジ筒３の内周面に密接して摺動するプランジャ本体４ｂと、プランジャロッド４ａの後端に固定された円板状の押圧板４ｃとを有している。
プランジャ本体４ｂは、シリンジ筒３の内周面に上下方向に間隔を有する２つの位置４ｂ−１、４ｂ−２で接しており、先端側の位置４ｂ−１がシリンジ筒３の外面に印字された目盛（不図示）を読み取る基準となる。
シリンジ筒３とプランジャ４とは、軸心回り方向に相対的に回転可能となっているとともに、プランジャ本体４ｂがシリンジ筒３の後端の開口７から抜け出さないように設定されている。
【００２１】
アダプタ５は、プランジャロッド４ａの押圧板４ｃに圧入して装着される装着部５ａと、該装着部５ａからシリンジ筒３の軸方向先端側へ延びる突出片５ｂとを有し、合成樹脂で一体成形されている。アダプタ５の材質は合成樹脂に限定されない。
装着部５ａにはプランジャ４の押圧板４ｃに装着するための装着溝５ｃ（図７参照）が形成されている。
装着部５ａをプランジャ４の押圧板４ｃを内包するように押し込んで圧入することにより、アダプタ５はプランジャ４に一体に固定され、シリンジ筒３に対してプランジャ４と同期回転可能となる。
装着部５ａをプランジャ４の押圧板４ｃに圧入する構成とすれば、プランジャ４にワンタッチ的な簡単な操作で容易に突出片５ｂを形成できる。
指掛け部６の水平方向に突出する平面部は、突出片５ｂに対する第１の当接部６ａ、第２の当接部６ｂとなり、突出片５ｂとの当接はいずれで行ってもよい。
【００２２】
図１は、シリンジ筒３とプランジャ４との間の軸心回り方向における相対的な所定の回転位置と異なる位置、すなわちプランジャ４のシリンジ筒３の先端側への移動で突出片５ｂと指掛け部６とが対向しない（干渉しない）位置で、プランジャ４をシリンジ筒３の先端まで移動させた状態を示している。
換言すれば、プランジャ４が吸引量ゼロの位置に設定されている状態を示している。
「相対的な回転」とは、シリンジ筒３を固定してプランジャ４を回転させる場合、プランジャ４を固定してシリンジ筒３を回転させる場合、双方を同時に回転させる場合を含む。
【００２３】
図３に基づいて、上述したシリンジ１による検液の計量方法を説明する。ここでは水質分析に係る検水の定量計量及び希釈について説明する。
図３（ａ）に示すように、図１で示した状態のシリンジ１の吸入口２を検水８が収容された容器９に挿入し、プランジャ４を引いて検水８を吸引する。この場合、目標量（所定量）はＸの位置であるが、目標量を十分に超えるように大まかに吸引する。
本実施形態におけるシリンジ筒３の内容積は１．５ｍｌで、目標量Ｘは０．１５ｍｌである。
【００２４】
次に、図３（ｂ）に示すように、シリンジ１を容器９から離し、シリンジ筒３とプランジャ４とを軸心回り方向に相対的に回転させてアダプタ５の突出片５ｂと指掛け部６とが対向しシリンジ筒３の先端側へのプランジャ４の移動で干渉する所定の回転位置に設定する。所定の回転位置とは、指掛け部６の少なくとも一部が突出片５ｂと当接する位置である。
この状態でプランジャ４を押し下げると、図３（ｃ）に示すように、アダプタ５の突出片５ｂが指掛け部６に当接し、プランジャ４のそれ以上の移動が機械的に制限される。
【００２５】
アダプタ５の突出片５ｂが指掛け部６に当接するまでに余分に吸い込んだ検水は吸入口２から排出される。突出片５ｂの高さｈは、シリンジ筒３内に目標量の検水８が残るように設定されており、シリンジ筒３の目盛を意識することなく、突出片５ｂが指掛け部６に当接するまでプランジャ４を押し込むことにより、シリンジ筒３内に目標量の検水を保持することができる。
換言すれば、突出片５ｂが指掛け部６に当接するまでプランジャ４を押し込むことにより、シリンジ筒３の先端側に所定量の液収容空間が形成される。
従って、操作方法を知ってさえいれば、暗闇でも手探り状態で容易に目標量の検水を均一に繰り返し計量できる。経時的な使用によりシリンジ筒３の外面に形成された目盛りが消えても計量できる。
【００２６】
上記のように、本実施形態では、シリンジ筒３が本来的に備えている指掛け部６を、定量吸引をするためのストッパ機構の構成要素として利用し、且つ、シリンジ筒３とプランジャ４とを軸心回り方向に相対的に回転させることによりストッパ機能を任意に発現させる構成としている。
このため、特許文献１に記載の従来のストッパ機構に比べて構成の簡易化を大幅に向上させることができる。
勿論、指掛け部６とは異なる受け部材をシリンジ筒３に別途形成してもよい。
【００２７】
以上は、シリンジ１における定量吸引機能であるが、本実施形態に係るシリンジ１は、液計量具であると同時に希釈具としても使用することができる。希釈方法を以下に説明する。
図４（ａ）に示すように、図３（ｃ）で示したシリンジ筒３内に検水を定量保持した状態で、希釈液（ここでは蒸留水）１０が収容された容器１１に吸入口２を挿入し、プランジャ４を上限位置まで移動させる。すなわち、プランジャ本体４ｂがシリンジ筒３の後端に当接するまでプランジャ４を最大限引いて蒸留水１０を吸引する。
蒸留水１０が吸引されると、予めシリンジ筒３内に保持されていた検水８と蒸留水１０とが吸引による乱流で撹拌されながら混ざり、プランジャ４が最大限引かれた時点でシリンジ筒３内には希釈倍率が１０倍の希釈済み検水が存在することとなる。この希釈済み検水は、分析器の測定範囲内の濃度を有する検水となる。
従って、本実施形態における液計量具としてのシリンジ１は、それ自体が簡易希釈具としても機能することとなる。
プランジャ本体４ｂが最大限引かれた状態で所定の希釈倍率となるようにシリンジ筒３の容積を設定すれば種々の希釈倍率の検液を簡単に得ることができる。
【００２８】
希釈後は、図４（ｂ）に示すように、シリンジ筒３とプランジャ４とを軸心回り方向に相対的に回転させ、アダプタ５の突出片５ｂがシリンジ筒３の指掛け部６と対向しない位置に設定する。その後、プランジャ４をシリンジ筒３の先端に突き当たるまで押し込み、希釈済みの検水を収容するための専用容器１２に排出（吐出）する。
【００２９】
希釈済みの検水を吐出した後は、コンタミネーション防止のためにシリンジ筒３内を洗浄液で洗浄しなければならないが、この場合、洗浄液が収容された不図示の容器に吸入口２を挿入し、プランジャ４を最大限引いてシリンジ筒３内に洗浄液を収容した後、排出する。
本実施形態では希釈のために他の容器を使用していないので、洗浄対象はシリンジ１のみとなり、洗浄作業が容易となる。
【００３０】
本実施形態では、上記のように既存（市販）のシリンジをそのまま使用し、突出片５ｂを有するアダプタ５を圧入装着しているだけの構成であるので、ねじによる固定構成等も存在せず、低コスト且つ簡単な構成で定量計量が繰り返し行える液計量具、１０倍程度の希釈を簡単にできる希釈具を得ることができる。
【００３１】
図５乃至図９に基づいて他の実施形態を説明する。上記実施形態と同一部分は同一符号で示し、特に必要がない限り既にした構成上及び機能上の説明は適宜省略する。
【００３２】
図５は第２の実施形態を示している。本実施形態ではプランジャ４の後端部に小径部４ｄが形成されている。アダプタ１３は、装着部１３ａと突出片１３ｂとを一体に有している。装着部１３ａには、弾性変形して小径部４ｄに嵌合する嵌合溝１３ｃが形成されている。本実施形態におけるアダプタ１３はプランジャ４と同期回転する必要はなく、単独で回転してもよい。アダプタ１３の単独回転も「シリンジ筒に対するプランジャの相対的な軸心回り方向における回転」に含まれるものとする。
定量吸引、希釈についての使用方法は上記実施形態と同様である（以下の他の実施形態において同じ）。
【００３３】
図６は第３の実施形態を示している。本実施形態では、プランジャ４の押圧板４ｃに突出片形状の突出部材１４が一体に形成されている。このようにすれば、プランジャ４の成形と同時に突出片を形成することができるので、定量吸引を得るためのストッパ構成がさらに簡易となる。
【００３４】
図７及び図８は第４の実施形態を示している。図７に示すように、本実施形態におけるアダプタ５は、指掛け部６に当接する位置が軸方向で異なる段差形状を有する突出片５ｂを備えている。すなわち、突出片５ｂは、軸方向の突出量が大きい部分である第１の突出片５ｂ−１と、第１の突出片５ｂ−１よりも軸方向の突出量が小さい部分である第２の突出片５ｂ−２とを備えている。
指掛け部６の第１の当接部６ａは第１の突出片５ｂ−１に対する当接部であり、第２の当接部６ｂは第２の突出片５ｂ−２に対する当接部である。
第２の当接部６ｂには、第１の突出片５ｂ−１を通過させるための切り欠き部６ｂ−１が形成されている。
【００３５】
第１の突出片５ｂ−１を用いて目標量の計量を行う場合には、目標量を十分に超えるように大まかに吸引した後、シリンジ筒３とプランジャ４との相対的な回転により、アダプタ５の突出片５ｂと指掛け部６の第１の当接部６ａとを対向させる。
かかる状態でプランジャ４を押すと、図８（ａ）に示すように、第１の当接部６ａに第１の突出片５ｂ−１が当接して計量される。
第２の突出片５ｂ−２を用いて目標量の計量を行う場合には、目標量を十分に超えるように大まかに吸引した後、シリンジ筒３とプランジャ４との相対的な回転により、アダプタ５の突出片５ｂと指掛け部６の第２の当接部６ｂとを対向させる。
かかる状態でプランジャ４を押すと、図８（ｂ）に示すように、第１の突出片５ｂ−１は切り欠き部６ｂ−１を通過し、第２の突出片５ｂ−２が第２の当接部６ｂに当接して定量計量される。第２の当接部６ｂの切り欠き部６ｂ−１の部分を無くして第１の突出片５ｂ−１を通過させる構成としてもよい。
【００３６】
このようにすれば、シリンジ筒３内に目標量が異なる２種類の定量検水を選択的に保持することができ、希釈倍率が異なる検水を任意に得ることができる。３段階以上の希釈倍率を得る構成としてもよい。
【００３７】
上記各実施形態では、突出部材がプランジャ４側に設けられている例で説明したが、突出部材はシリンジ筒３側に設けてもよい。すなわち、突出部材と受け部材はシリンジ筒３とプランジャ４との間で相対的に設けられる。
図９は突出部材をシリンジ筒３側に設ける例（第５の実施形態）を示している。本実施形態におけるシリンジ１では半円形状の指掛け部１６が突出部材としてなり、指掛け部１６には軸方向の突出量が異なる複数の柱状の突出片１５ａ、１５ｂ、１５ｃが一体に設けられている。
【００３８】
これに対応してプランジャ４には突出部１５ａ、１５ｂ又は１５ｃが当接する受け部材１７が設けられている。受け部材１７はプランジャ４の押圧板を兼ねている。
計量を行う場合には、設定された目標量を十分に超えるように大まかに吸引した後、シリンジ筒３とプランジャ４との軸心回り方向における相対的な回転により、突出片１５ａ、１５ｂ、１５ｃのうちのいずれかとプランジャ４の受け部材１７とを対向させる。
かかる状態でプランジャ４を押すと、突出片１５ａ、１５ｂ、１５ｃのいずれかと受け部材１７とが当接して定量計量される。各突出片１５ａ、１５ｂ、１５ｃの軸方向の高さはシリンジ筒３内に各目標量の検水が残るように設定されている。
指掛け部１６に設ける突出片は１つでもよい。また、シリンジ筒３側に突出部材を設ける場合、第１の実施形態と同様に、市販のシリンジの指掛け部に装着して突出片を形成するようにしてもよい。
【００３９】
上記各実施形態では、分析分野における検水の定量計量及びその希釈について例示したが、本発明はこれに限定されず、種々の液体の定量計量に用いることができる。例えばある溶液に薬液を添加する場合の該薬液の定量供給具として用いることができる。
【００４０】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００４１】
１  液計量具
２  吸入口
３  液収容部材としてのシリンジ筒
４  摺動部材としてのプランジャ
５、１３  突出部材
５ｂ、１３ｂ、１５ａ、１５ｂ、１５ｃ  突出片
５ｂ−１  第１の突出片
５ｂ−２  第２の突出片
６、１６  受け部材としての指掛け部
６ａ  第１の当接部
６ｂ  第２の当接部
８  液としての検水
１０  希釈液としての蒸留水
１７  受け部材
Ｘ  所定量（目標量）
【図１】
2018038933.tif 000003
【図２】
2018038933.tif 000004
【図３】
2018038933.tif 000005
【図４】
2018038933.tif 000006
【図５】
2018038933.tif 000007
【図６】
2018038933.tif 000008
【図７】
2018038933.tif 000009
【図８】
2018038933.tif 000010
【図９】
2018038933.tif 000011